(57)【特許請求の範囲】
【請求項１】
画像情報を表示する複数の液晶素子と、該液晶素子を照明する照明装置と、前記複数の液晶素子及び前記照明装置を一体的に収納する筐体と、を備え、前記筐体の内部に配置された前記複数の液晶素子を照明するように、前記照明装置が前記筐体の内部に構成されている、カメラ一体型ビデオレコーダに適用される液晶装置において、
前記筐体を移動可能に設け、前記筐体を移動させて前記複数の液晶素子及び前記照明装置を一体的に移動させ、前記複数の液晶素子のうちの一つの液晶素子を視認する視認位置に移動させる位置調節機構を備え、
該位置調節機構によって前記筐体を移動させることにより前記複数の液晶素子の位置が調節され、前記位置調節機構によって移動した位置が検出されて前記視認位置にある方の液晶素子が選択的に駆動されることを特徴とする液晶装置。
【請求項２】
前記複数の液晶素子のうち、少なくとも２つの液晶素子の画素数は同じである、
ことを特徴とする請求項１に記載の液晶装置。
【請求項３】
前記複数の液晶素子のうち、少なくとも１つの液晶素子は前記筐体に沿って配置された、
ことを特徴とする請求項１又は２に記載の液晶装置。
【請求項４】
前記複数の液晶素子のうち、少なくとも１つの液晶素子は、前記筐体の内部に配置してファインダからのぞき込むように構成された、
ことを特徴とする請求項１乃至３のいずれか１項に記載の液晶装置。
【請求項５】
前記照明装置が、前記液晶素子に沿うように配置された透明な導光体と、該導光体に対向する位置に配置された光源と、によって構成された、
ことを特徴とする請求項１乃至４のいずれか１項に記載の液晶装置。
【請求項６】
前記光源が、前記導光体の端部に対向する位置に配置された、
ことを特徴とする請求項５に記載の液晶装置。
【請求項７】
前記導光体が、前記液晶素子の数と同じ数だけ設けられた、
ことを特徴とする請求項５又は６に記載の液晶装置。
【請求項８】
前記導光体の背面に反射シートが配置され、該反射シートによって光が前記液晶素子の側に反射されてなる、
ことを特徴とする請求項７に記載の液晶装置。
【請求項９】
前記導光体と前記液晶素子との間に拡散シートが配置され、前記液晶素子を照明する光が拡散されてなる、
ことを特徴とする請求項５乃至８のいずれか１項に記載の液晶装置。
【発明の詳細な説明】
【０００１】
【発明の属する技術分野】
本発明は、複数の液晶素子を備えた液晶装置に関する。
【０００２】
【従来の技術】
従来より、画像情報を表示する液晶パネル（液晶素子）は様々な機器に用いられているが、機器によっては複数の液晶パネルを備えたものもある。
【０００３】
図７は、そのように複数の液晶パネルを備えた機器の一例として、カメラ一体型ビデオテープレコーダ（以下、“カムコーダ”とする）の外観を示す斜視図であるが、かかるカムコーダ２０は、同図(b) に符号Ｐ3 ，Ｐ4 で示すように２つの液晶パネルを備えている。これらの液晶パネルＰ3 ，Ｐ4 は、いずれも撮影中や撮影後に撮影画像をモニタリングするために用いられるが、一方の液晶パネルＰ4 は、２〜４インチ程度の大型にして撮影画像を大きく視認し易くするためのものであり、カムコーダ２０の外面に露出するように配置して、複数の人間が同時にモニタリングできるようにもしている。また、他方の液晶パネルＰ3 は、カムコーダの内部に配置してファインダＦからのぞき込むようにしたものである（以下、前者の液晶パネルＰ4 を“大型モニタＰ4 ”とし、後者の液晶パネルＰ3 を“ファインダ用モニタＰ3 ”とする）。
【０００４】
なお、このようにモニタを２つ設けた理由は以下の通りである。
【０００５】
すなわち、大型モニタＰ4 だけでは、屋外で太陽光が強い場合には画像の視認が困難になるという問題があり、ファインダ用モニタＰ3 だけでは、ファインダＦによって太陽光は遮断されるために屋外での画像の視認は容易ではあるものの、大型モニタＰ4 のように複数の人間が同時にモニタリングすることができず、また、画像をモニタリングするには無理な姿勢でファインダＦからのぞき込まなければならないという問題があったからである。
【０００６】
なお、図８は、上述したカムコーダ２０の概略構成を示すブロック図であり、符号２１は、撮影画像（被写体像）の光学情報を電気信号に変換する撮像素子を示し、符号２２は、撮影画像を撮像素子２１の受光面に結像させるレンズ群を示す。また、符号２３は、撮像素子２１からの電気信号を所定の形態の映像信号に変換するカメラ信号処理回路を示し、符号２４は、映像信号を磁気テープに記録するレコーダを示す。さらに、符号２５は、カムコーダ２０を操作するための操作パネルを示し、符号２６は、操作パネル２５の操作内容を示すデータを具体的な処理内容を示すコマンドにブレークダウンするシステムコントロール用マイクロコンピュータを示す。
【０００７】
いま、レンズ群２２によって撮像素子２１の受光面に撮影画像が結像されると、撮像素子２１によってその光学情報が電気信号に変換され、カメラ信号処理回路２３によってその電気信号が上記映像信号に変換される。この映像信号は、２つのモニタＰ3 ，Ｐ4 に送られて撮影画像が表示され、レコーダ２４に送られて撮影画像の記録が行われる。なお、レコーダ２４への記録開始や記録終了の指示は、マイクロコンピュータ２６によってなされる。
【０００８】
【発明が解決しようとする課題】
ところで、上述した２つのモニタＰ3 ，Ｐ4 については、照明用のバックライト装置や、バックライト装置駆動用の制御回路や、各モニタＰ3 ，Ｐ4 を収納するためのケース等を、それぞれ別個に設ける必要があり、その分、装置が大型化したりコスト高になるという問題があった。
【０００９】
また、モニタＰ3 ，Ｐ4 の視認性を良くする等のためには、それぞれのモニタＰ3 ，Ｐ4 に位置調節機構を設けて、図９に矢印Ａ3 ，Ａ4 で示すように位置調節ができるようにすることが望ましいが、モニタ毎に位置調節機構を設けると部品点数が増えてコスト高になるという問題があった。
【００１０】
そこで、本発明は、大型化を防止する液晶装置を提供することを目的とするものである。
【００１１】
また、本発明は、コストアップを防止する液晶装置を提供することを目的とするものである。
【００１２】
【課題を解決するための手段】
本発明は上記事情を考慮してなされたものであり、画像情報を表示する複数の液晶素子と、該液晶素子を照明する照明装置と、前記複数の液晶素子及び前記照明装置を一体的に収納する筐体と、を備え、前記筐体の内部に配置された前記複数の液晶素子を照明するように、前記照明装置が前記筐体の内部に構成されている、カメラ一体型ビデオレコーダに適用される液晶装置において、
前記筐体を移動可能に設け、前記筐体を移動させて前記複数の液晶素子及び前記照明装置を一体的に移動させ、前記複数の液晶素子のうちの一つの液晶素子を視認する視認位置に移動させる位置調節機構を備え、該位置調節機構によって前記筐体を移動させることにより前記複数の液晶素子の位置が調節され、前記位置調節機構によって移動した位置が検出されて前記視認位置にある方の液晶素子が選択的に駆動されることを特徴とする。
【００１３】
【発明の実施の形態】
以下、図１、図２及び図６を参照して、本発明の実施の形態について説明する。
【００１４】
ここで、図１は、本発明に係る液晶装置の構造の一例を示す断面図であり、また、図２(a) (b) は、本発明に係る液晶装置をカムコーダに適用した例を示す図であり、同図(a) は一方の液晶素子Ｐ1 を視認できるように位置調節した状態を示し、同図(b) は他方の液晶素子Ｐ2 を視認できるように位置調節した状態を示す図である。さらに、図６は、同じく本発明に係る液晶装置を適用したカムコーダの構成を示す断面図である。
【００１５】
本発明に係る液晶装置１は、図１に示すように、画像情報を表示する液晶素子Ｐ1 ，Ｐ2 を複数備えており、これら複数の液晶素子Ｐ1 ，Ｐ2 によって囲まれる位置（図では２つの液晶素子Ｐ1 ，Ｐ2 によって挟まれる位置）には１つの照明装置Ｂが配置されている。そして、該照明装置Ｂは、これら複数の液晶素子Ｐ1 ，Ｐ2 を照明するように構成されている。
【００１６】
この場合、前記複数の液晶素子Ｐ1 ，Ｐ2 や前記照明装置Ｂを１つの筐体Ｃに一体的に収納するようにしてもよい。
【００１７】
また、前記複数の液晶素子Ｐ1 ，Ｐ2 や前記照明装置Ｂを一体的に移動する位置調節機構、を設け、該位置調節機構によって前記複数の液晶素子Ｐ1 ，Ｐ2 の位置が調節されるようにしてもよい。例えば、図２(a) (b) に示すように、本発明に係る液晶装置１をカムコーダ２に適用した場合には、液晶装置１をカムコーダ本体２Ｃに対して位置調節が可能となるように構成すれば良く、前記位置調節機構としては、液晶装置１をカムコーダ本体２Ｃに対して回転自在となるように支持する回転軸３を挙げることができる。また、他の位置調節機構としては、図６に示すように、液晶装置１１とカムコーダ本体１２Ｃとの間に介装されて液晶装置１１をカムコーダ本体１２Ｃに対して回転自在となるように支持する２つの回転軸１３ａ，１４を挙げることができる。
【００１８】
一方、液晶素子の画素数はどのように設定しても良いが、前記複数の液晶素子Ｐ1 ，Ｐ2 のうち、少なくとも２つの液晶素子の画素数を同じにしても良い。
【００１９】
また、液晶素子Ｐ1 ，Ｐ2 は、照明装置Ｂに対向する位置であればどのような位置に配置しても良いが、前記複数の液晶素子Ｐ1 ，Ｐ2 のうち、少なくとも１つの液晶素子Ｐ2 は、外部から容易に視認できるように前記筐体Ｃに沿った位置に配置すると良い。
【００２０】
さらに、前記複数の液晶素子Ｐ1 ，Ｐ2 のうち、少なくとも１つの液晶素子Ｐ1 は、前記筐体Ｃの内部に配置してファインダＦからのぞき込んだ場合に画像が視認されるようにしても良い。なお、図１においては、液晶素子Ｐ1 に対向する位置にミラー４を設け、該ミラー４にて反射された画像を視認するように構成されているが、もちろんこれに限る必要はなく、ミラー４を介さずにファインダＦから液晶素子Ｐ1 を直視できるようにしても良い。また、ファインダＦの内部には接眼レンズ５を設けても良い。
【００２１】
一方、上述した照明装置Ｂは、種々の構造のものを挙げることができるが、例えば、前記液晶素子Ｐ1 ，Ｐ2 に沿うように配置された透明な導光体６ａ，６ｂと、該導光体６ａ，６ｂに対向する位置に配置された光源７と、によって構成しても良い。ここで、光源７としては蛍光管が好ましい。
【００２２】
なお、図１では、光源７は、前記導光体６ａ，６ｂの端部に対向する位置に１つだけ設けられているが、もちろんこれに限る必要はない。
【００２３】
また、前記導光体６ａ，６ｂは、いくつ設けても良いが、前記液晶素子Ｐ1 ，Ｐ2 の数と同じ数だけ設ける方が好ましい。その場合、各導光体６ａ，６ｂの背面（液晶素子Ｐ1 ，Ｐ2 に対向する面とは反対側の面）に反射シート８ａ，８ｂを配置して、光を液晶素子Ｐ1 ，Ｐ2 の側に反射させるようにしたり、各導光体６ａ，６ｂと液晶素子Ｐ1 ，Ｐ2 との間に拡散シート９ａ，９ｂを配置して、液晶素子Ｐ1 ，Ｐ2 を照明する光を拡散させるようにしても良い。
【００２４】
さらに、光源７の背後（導光体６ａ，６ｂとは反対の側）に反射板１０を配置して、光を導光体６ａ，６ｂの側に反射させるようにすると良い。
【００２５】
次に、本実施の形態の効果について説明する。
【００２６】
本実施の形態によれば、１つの照明装置Ｂによって複数の液晶素子Ｐ1 ，Ｐ2 を照明するようにしたため、各液晶素子毎に照明装置を設ける場合に比べて部品点数を少なくしてコストダウンを図ることでき、また、照明装置を配置するためのスペースを小さくして液晶装置１の小型化を図ることができる。さらに、照明装置駆動用の制御回路等も共用化することによっても、コストダウンや小型化を図ることができる。
【００２７】
また、前記複数の液晶素子Ｐ1 ，Ｐ2 や前記照明装置Ｂを１つの筐体Ｃに一体的に収納するようにした場合には、各液晶素子Ｐ1 ，Ｐ2 毎に別々の筐体を設ける必要がなくなるため、部品点数を少なくしてコストダウンを図ることできる。
【００２８】
さらに、位置調節機構３，１３ａ，１４によって前記複数の液晶素子Ｐ1 ，Ｐ2 を移動するようにしてそれらの姿勢を調節できるようにした場合には、液晶素子Ｐ1 ，Ｐ2 の画像を楽な姿勢で視認することができる。またさらに、位置調節機構３，１３ａ，１４による前記複数の液晶素子Ｐ1 ，Ｐ2 等の移動を一体的に行うようにした場合には、複数の液晶素子Ｐ1 ，Ｐ2 の位置調節が１つの位置調節機構によって実現でき、各液晶素子毎に位置調節機構を設ける場合に比べて部品点数が少なくなり、コストダウンを図ることができる。
【００２９】
一方、少なくとも２つの液晶素子Ｐ1 ，Ｐ2 の画素数を同じにした場合には、それらの液晶素子Ｐ1 ，Ｐ2 を駆動する回路の一部又は全部を共用化でき、部品点数を少なくして小型化やコストダウンを図ることができることができると共に、消費電力の低減を図ることができる。
【００３０】
また、少なくとも１つの液晶素子Ｐ2 を筐体Ｃに沿って配置して外部から容易に視認できるようにした場合には、複数の人間が同時にモニタリングできる。
【００３１】
さらに、少なくとも１つの液晶素子Ｐ1 を、前記筐体Ｃの内部に配置してファインダＦからのぞき込むようにした場合には、太陽光が強い屋外であっても、該太陽光の影響を受けずに画像の視認ができる。
【００３２】
【実施例】
以下、実施例に沿って本発明を更に詳細に説明する。
【００３３】
（実施例１）
本実施例においては、図２及び図３に示すカムコーダ２を作成し、該カムコーダ２には図１に示す構造のモニタリング装置（液晶装置）１を搭載した。
【００３４】
すなわち、モニタリング装置１は、図１に示すように、２つの透過型液晶パネル（液晶素子）Ｐ1 ，Ｐ2 と、これらの液晶パネルＰ1 ，Ｐ2 の間に配置したエッジ型のバックライト装置（照明装置）Ｂと、によって構成した。そして、このバックライト装置Ｂによって両方の液晶パネルＰ1 ，Ｐ2 を照明するように構成した。
【００３５】
また、これら２つの液晶パネルＰ1 ，Ｐ2 とバックライト装置Ｂとは、１つの同じケース（筐体）Ｃに一体的に収納し、一方の液晶パネルＰ2 は、ケースＣに沿って配置して露出させ、他方の液晶パネルＰ1 は、ケースＣの内部に配置してファインダＦから接眼レンズ５やミラー４を介して視認できるようにした。
【００３６】
一方、バックライト装置Ｂは、各液晶パネルＰ1 ，Ｐ2 に沿うように配置した透明な２枚の導光板（導光体）６ａ，６ｂによって構成し、これらの導光板６ａ，６ｂの端部に対向する位置には、光源としての蛍光管７を配置した。そして、この蛍光管７の背後（導光板６ａ，６ｂとは反対の側）には反射板１０を配置した。また、各導光板６ａ，６ｂの背面（液晶パネルＰ1 ，Ｐ2 に対向する面とは反対側の面）には反射シート８ａ，８ｂを配置し、各導光板６ａ，６ｂと各液晶パネルＰ1 ，Ｐ2 との間には拡散シート９ａ，９ｂを配置した。
【００３７】
このような構成のモニタリング装置１は、図２に示すように、回転軸（位置調節機構）３を介してカムコーダ本体２Ｃに回転自在に支持させ、各液晶パネルＰ1 ，Ｐ2 の位置が調整できるようにした。
【００３８】
一方、図３は、カムコーダの概略構成を示すブロック図であり、該構成は、図８に示したものと大体は同じであるが、回転位置検出スイッチＳを上述した回転軸３の近傍に配置してモニタリング装置１の回転位置を検出し、その検出信号をシステムコントロール用マイクロコンピュータ２６に送信し、視認位置にある方の液晶パネルＰ1 又はＰ2 を選択的に駆動するようにした。例えば、モニタリング装置１の位置が図２(a) のような場合には、液晶パネルＰ1 のみを駆動し、図２(b) のような場合には他方の液晶パネルＰ2 のみを駆動するようにした。
【００３９】
次に、本実施例の効果について説明する。
【００４０】
本実施例によれば、カムコーダ２のコストダウンや小型化を図ることができた。また、２つの液晶パネルＰ1 ，Ｐ2 を選択的に駆動することにより、消費電力の低減を図ることができた。さらに、上述のような構造の液晶パネルＰ1 ，Ｐ2 を設けたため、一方の液晶パネルＰ2 によって複数の人間が同時にモニタリングでき、太陽光が強い屋外であっても、他方の液晶パネルＰ1 によって該太陽光の影響を受けずに画像の視認ができた。
【００４１】
（実施例２）
本実施例においては、図４乃至図６に示すカムコーダ１２を作成した。ここで、図４は、カムコーダ１２に搭載したモニタリング装置を図示矢印の方向に開閉する状態を示す外観斜視図であり、図５は、モニタリング装置を図示矢印の方向に開閉する状態を示す外観斜視図である。
【００４２】
本実施例においては、モニタリング装置（液晶装置）１１とカムコーダ本体１２Ｃとは、図６に示すように、位置調節機構としての中継部１３によって連結し、モニタリング装置１１を、図４に示す矢印Ａ1 の方向のみならず、図５に示す矢印Ａ2 の方向にも回転できるようにした。具体的には、図６に示すように、カムコーダ本体１２Ｃに孔部１２ａを設け、この孔部１２ａには、中継部１３の円筒部１３ａを回転可能に嵌合させ、中継部１３がカムコーダ本体１２Ｃに対して図５に示す矢印Ａ2 の方向に回転できるようにした。なお、この円筒部１３ａの外面には、本体１２Ｃの内部にてワッシャー１５や皿座金１６をはめ込み、さらに、皿座金１６を圧縮するように円筒部１３ａの溝部１３ｂに止め輪１７をはめ込んで、円筒部１３ａの抜け止めを行った。また、このような構造の中継部１３とモニタリング装置１１との間には回転軸１４を介装し、モニタリング装置１１がカムコーダ本体１２Ｃに対して図４に示す矢印Ａ1 の方向に回転できるようにした。
【００４３】
その他の構成は、実施例１とほぼ同様であり、同一部分は同一符号を付して重複説明を省略する。
【００４４】
次に、本実施例の効果について説明する。
【００４５】
本実施例によれば、上記実施例１と同様の効果が得られた。また、上述のような構造の中継部１３を設けたため、ファインダＦを使用してのハイアングル撮影やローアングル撮影が可能が可能となった。
【００４６】
【発明の効果】
以上説明したように、本発明によると、１つの照明装置によって複数の液晶素子を照明するようにしたため、各液晶素子毎に照明装置を設ける場合に比べて部品点数を少なくしてコストダウンを図ることでき、また、照明装置を配置するためのスペースを小さくして液晶装置の小型化を図ることができる。さらに、照明装置駆動用の制御回路等も共用化することによっても、コストダウンや小型化を図ることができる。
【００４７】
また、前記複数の液晶素子や前記照明装置を１つの筐体に一体的に収納するようにした場合には、各液晶素子毎に別々の筐体を設ける必要がなくなるため、部品点数を少なくしてコストダウンを図ることできる。
【００４８】
さらに、位置調節機構によって前記複数の液晶素子を移動するようにしてそれらの姿勢を調節できるようにした場合には、液晶素子の画像を楽な姿勢で視認することができる。またさらに、位置調節機構による前記複数の液晶素子等の移動を一体的に行うようにした場合には、複数の液晶素子の位置調節が１つの位置調節機構によって実現でき、各液晶素子毎に位置調節機構を設ける場合に比べて部品点数が少なくなり、コストダウンを図ることができる。
【００４９】
一方、少なくとも２つの液晶素子の画素数を同じにした場合には、それらの液晶素子を駆動する回路の一部又は全部を共用化でき、部品点数を少なくして小型化やコストダウンを図ることができることができると共に、消費電力の低減を図ることができる。
【００５０】
また、少なくとも１つの液晶素子を筐体に沿って配置して外部から容易に視認できるようにした場合には、複数の人間が同時にモニタリングできる。
【００５１】
さらに、少なくとも１つの液晶素子を、前記筐体の内部に配置してファインダからのぞき込むようにした場合には、太陽光が強い屋外であっても、該太陽光の影響を受けずに画像の視認ができる。
【図面の簡単な説明】
【図１】本発明に係る液晶装置の構造の一例を示す断面図。
【図２】本発明に係る液晶装置をカムコーダに適用した例を示す図であり、(a) は一方の液晶素子を視認できるように位置調節した状態を示し、(b) は他方の液晶素子を視認できるように位置調節した状態を示す図。
【図３】カムコーダの概略構成を示すブロック図。
【図４】カムコーダに搭載したモニタリング装置を図示矢印の方向に開閉する状態を示す外観斜視図。
【図５】モニタリング装置を図示矢印の方向に開閉する状態を示す外観斜視図。
【図６】本発明に係る液晶装置を適用したカムコーダの構成を示す断面図。
【図７】複数の液晶パネルを備えた機器の一例として、カメラ一体型ビデオテープレコーダの外観を示す斜視図。
【図８】従来のカムコーダの概略構成を示すブロック図。
【図９】従来のカムコーダの外観を示す斜視図。
【符号の説明】
１            モニタリング装置（液晶装置）
３            回転軸（位置調節機構）
６ａ，６ｂ    導光板（導光体）
７            蛍光管（光源）
８ａ，８ｂ    反射シート
９ａ，９ｂ    拡散シート
１１          モニタリング装置（液晶装置）
１３ａ        円筒部（位置調節機構）
１４          回転軸（位置調節機構）
Ｂ            バックライト装置（照明装置）
Ｃ            ケース（筐体）
Ｆ            ファインダ
Ｐ1           液晶パネル（液晶素子）
Ｐ2           液晶パネル（液晶素子）
【図１】
0004497571.tif 000002
【図２】
0004497571.tif 000003
【図３】
0004497571.tif 000004
【図４】
0004497571.tif 000005
【図５】
0004497571.tif 000006
【図６】
0004497571.tif 000007
【図７】
0004497571.tif 000008
【図８】
0004497571.tif 000009
【図９】
0004497571.tif 000010